【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
所定の記録媒体から読み出されるコンテンツデータに映像データが含まれている場合に音声データを処理するための第１のパラメータと、所定の記録媒体から読み出されるコンテンツデータに映像データが含まれていない場合に音声データを処理するための第２のパラメータを記憶する記憶手段と、
前記所定の記録媒体から読み出されるコンテンツデータが映像データを含むか否かを判断する判断手段と、
前記判断手段により当該コンテンツデータに映像データが含まれると判断された場合、前記記憶手段に記憶された前記第１のパラメータを読み出し、前記判断手段により当該コンテンツデータに映像データは含まれないと判断された場合、前記記憶手段に記憶された前記第２のパラメータを読み出す読み出し手段と、
前記読み出し手段により読み出された前記第１のパラメータまたは前記第２のパラメータに基づき、前記コンテンツデータに含まれる音声データを処理する処理手段と
を含むことを特徴とする音声処理装置。
【請求項２】
それぞれ所定の位置に配置されて音声を出力するための複数のスピーカに対して、
前記処理手段は、
前記第１のパラメータまたは前記第２のパラメータに基づき前記複数のスピーカからの音声の出力を異ならせるように前記音声データを処理する
ことを特徴とする請求項１記載の音声処理装置。
【請求項３】
パラメータを記憶する記憶手段と、所定の記録媒体からコンテンツデータを再生する再生手段を少なくとも備える音声処理装置の音声処理方法において、
所定の記録媒体から読み出されるコンテンツデータに映像データが含まれている場合に音声データを処理するための第１のパラメータと、所定の記録媒体から読み出されるコンテンツデータに映像データが含まれていない場合に音声データを処理するための第２のパラメータの前記記憶手段への記憶を制御する記憶制御ステップと、
前記再生手段により前記記録媒体から再生されたコンテンツデータに映像データが含まれるか否かを判断する判断ステップと、
前記判断ステップの処理で当該コンテンツデータに映像データが含まれると判断された場合、前記記憶手段に記憶されている前記第１のパラメータを読み出し、前記判断手段により当該コンテンツデータに映像データは含まれないと判断された場合、前記記憶手段に記憶されている前記第２のパラメータを読み出す読み出しステップと、
前記読み出しステップの処理により読み出された前記第１のパラメータまたは前記第２のパラメータに基づき、前記コンテンツデータに含まれる音声データを処理する処理ステップと
を含むことを特徴とする音声処理方法。
【請求項４】
パラメータを記憶する記憶手段と、所定の記録媒体からコンテンツデータを再生する再生手段を少なくとも備える音声処理装置を制御するコンピュータのプログラムであって、
所定の記録媒体から読み出されるコンテンツデータに映像データが含まれている場合に音声データを処理するための第１のパラメータと、所定の記録媒体から読み出されるコンテンツデータに映像データが含まれていない場合に音声データを処理するための第２のパラメータの前記記憶手段への記憶を制御する記憶制御ステップと、
前記再生手段により前記記録媒体から再生されたコンテンツデータに映像データが含まれるか否かを判断する判断ステップと、
前記判断ステップの処理で当該コンテンツデータに映像データが含まれると判断された場合、前記記憶手段に記憶されている前記第１のパラメータを読み出し、前記判断手段により当該コンテンツデータに映像データは含まれないと判断された場合、前記記憶手段に記憶されている前記第２のパラメータを読み出す読み出しステップと、
前記読み出しステップの処理により読み出された前記第１のパラメータまたは前記第２のパラメータに基づき、前記コンテンツデータに含まれる音声データを処理する処理ステップと
を含むことを特徴とするプログラム。
【手続補正２】
【補正対象書類名】明細書
【補正対象項目名】００１１
【補正方法】変更
【補正の内容】
【００１１】
本発明の音声処理装置は、所定の記録媒体から読み出されるコンテンツデータに映像データが含まれている場合に音声データを処理するための第１のパラメータと、所定の記録媒体から読み出されるコンテンツデータに映像データが含まれていない場合に音声データを処理するための第２のパラメータを記憶する記憶手段と、所定の記録媒体から読み出されるコンテンツデータが映像データを含むか否かを判断する判断手段と、判断手段により当該コンテンツデータに映像データが含まれると判断された場合、記憶手段に記憶された第１のパラメータを読み出し、判断手段により当該コンテンツデータに映像データは含まれないと判断された場合、記憶手段に記憶された第２のパラメータを読み出す読み出し手段と、読み出し手段により読み出された第１のパラメータまたは第２のパラメータに基づき、コンテンツデータに含まれる音声データを処理する処理手段とを含むことを要旨とする。
【手続補正３】
【補正対象書類名】明細書
【補正対象項目名】００１２
【補正方法】変更
【補正の内容】
【００１２】
本発明の音声処理方法は、パラメータを記憶する記憶手段と、所定の記録媒体からコンテンツデータを再生する再生手段を少なくとも備える音声処理装置の音声処理方法において、所定の記録媒体から読み出されるコンテンツデータに映像データが含まれている場合に音声データを処理するための第１のパラメータと、所定の記録媒体から読み出されるコンテンツデータに映像データが含まれていない場合に音声データを処理するための第２のパラメータの記憶手段への記憶を制御する記憶制御ステップと、再生手段により記録媒体から再生されたコンテンツデータに映像データが含まれるか否かを判断する判断ステップと、判断ステップの処理で当該コンテンツデータに映像データが含まれると判断された場合、記憶手段に記憶されている第１のパラメータを読み出し、判断手段により当該コンテンツデータに映像データは含まれないと判断された場合、記憶手段に記憶されている第２のパラメータを読み出す読み出しステップと、読み出しステップの処理により読み出された第１のパラメータまたは第２のパラメータに基づき、コンテンツデータに含まれる音声データを処理する処理ステップとを含むことを要旨とする。
【手続補正４】
【補正対象書類名】明細書
【補正対象項目名】００１３
【補正方法】変更
【補正の内容】
【００１３】
本発明のプログラムは、パラメータを記憶する記憶手段と、所定の記録媒体からコンテンツデータを再生する再生手段を少なくとも備える音声処理装置を制御するコンピュータのプログラムであって、所定の記録媒体から読み出されるコンテンツデータに映像データが含まれている場合に音声データを処理するための第１のパラメータと、所定の記録媒体から読み出されるコンテンツデータに映像データが含まれていない場合に音声データを処理するための第２のパラメータの記憶手段への記憶を制御する記憶制御ステップと、再生手段により記録媒体から再生されたコンテンツデータに映像データが含まれるか否かを判断する判断ステップと、判断ステップの処理で当該コンテンツデータに映像データが含まれると判断された場合、記憶手段に記憶されている第１のパラメータを読み出し、判断手段により当該コンテンツデータに映像データは含まれないと判断された場合、記憶手段に記憶されている第２のパラメータを読み出す読み出しステップと、読み出しステップの処理により読み出された第１のパラメータまたは第２のパラメータに基づき、コンテンツデータに含まれる音声データを処理する処理ステップとを含むことを要旨とするプログラム。
【手続補正５】
【補正対象書類名】明細書
【補正対象項目名】００２０
【補正方法】変更
【補正の内容】
【００２０】
本発明の音声処理装置は、例えば、図４に示した本体１０である。この音声処理装置は、所定の記録媒体から読み出されるコンテンツデータに映像データが含まれている場合に音声データを処理するための第１のパラメータと、所定の記録媒体から読み出されるコンテンツデータに映像データが含まれていない場合に音声データを処理するための第２のパラメータを記憶する記憶手段（例えば、図４のデータ保持部１０４）と、記録媒体から読み出されるコンテンツデータが映像データを含むか否かを判断する判断手段（例えば、図１８のステップＳ３２の処理を実行する図４の制御部１０１）と、判断手段により当該コンテンツデータに映像データが含まれると判断された場合、記憶手段に記憶された第１のパラメータを読み出し、判断手段により当該コンテンツデータに映像データは含まれないと判断された場合、記憶手段に記憶された第２のパラメータを読み出す読み出し手段（例えば、図１８のステップＳ３３またはステップＳ３６の処理を実行する図４の制御部１０１）と、読み出し手段により読み出された第１のパラメータまたは第２のパラメータに基づき、コンテンツデータに含まれる音声データを処理する処理手段（例えば、図１８のステップＳ３４またはステップＳ３７の処理を実行する図４の音声処理部１０６）とを含むことを要旨とする。